(57)【要約】【課題】  きわめて簡単に封印作業を行うことができる封印装置を提供する。【解決手段】  ベース１は表面に長孔４を形成し、長孔４の裏面側の周縁を引っ掛け部３０としている。カバー２はベース１に被さって長孔４に整合する挿通孔６を底部に形成したばね収容凹部５を有する。封印具３は、先端部７ａがばね収容凹部５の挿通孔６および長孔４に回動自在に挿通された軸部７を有し、軸部７の先端部７ａの側面に突設されて軸部７の回動により引っ掛け部３０に引っ掛け可能な直交バー８を有し、軸部７の後端部に設けられたばね受け部を兼ねた覆い部２４を有し、ばね収容凹部５内に収納されて一端がばね収容凹部５の底部側に係止し他端が覆い部２４に係止して直交バー８を引っ掛け部３０に押圧するばね１０を有する。軸部７の頭部に封印キャップを被せる。【選択図】        図１
2007033316.tif 000002
【特許請求の範囲】
【請求項１】
表面に長孔を形成し前記長孔の裏面側の周縁を引っ掛け部とした第１の部材と、    
この第１の部材に被さって前記長孔に整合する挿通孔を底部に形成したばね収容凹部を有する第２の部材と、
先端部が前記ばね収容凹部の前記挿通孔および前記長孔に回動自在に挿通された軸部を有し、前記軸部の前記先端部の側面に突設されて前記軸部の回動により前記引っ掛け部に引っ掛け可能な突起を有し、前記軸部の後端部に設けられたばね受け部を有し、前記ばね収容凹部内に収納されて一端が前記ばね収容凹部の前記底部に係止し他端が前記ばね受け部に係止して前記突起を前記引っ掛け部に押圧するばねを有する封印具と、
前記封印具の回動を阻止する手段とを備えた封印装置。
【請求項２】
前記引っ掛け部は、前記軸部の回転により前記突起が前記ばねに抗して乗り上げる傾斜部を有し前記軸部の所定の回転角で前記傾斜部から落ち込む逆回転防止用の落ち込み部を有する請求項１記載の封印装置。
【請求項３】
前記傾斜部と前記落ち込み部との間に前記突起が乗り越えるクリック用突部を有する請求項２記載の封印装置。  
【請求項４】
前記ばね収容凹部の内底面に配置されて大きさが前記ばね収容凹部の内底面にほぼ等しく中央に前記軸部を挿通する穴のある座板を有し、
前記軸部は、前記穴の内径にほぼ等しく前記突起が前記落ち込み部に係止している状態で前記穴に嵌合する第１の嵌合部と、前記第１の嵌合部よりも小径であって前記突起が前記長孔に位置している状態で前記穴に嵌合する第２の嵌合部とを有し、前記第１の嵌合部と前記第２の嵌合部との間が傾斜面で連続している請求項２または請求項３記載の封印装置。
【請求項５】
前記ばねは前記軸部に挿通するコイルばねであり、外径が前記ばね収容凹部の内径にほぼ等しく、両端の内径が前記軸部の前記第１の嵌合部の外径にほぼ等しい請求項４記載の封印装置。
【請求項６】
前記軸部は後端部にドライバを係合できる溝を有し、
前記第２の部材は表面の軸部の周辺に開と閉の表示部を有し、
前記突起が前記落ち込み部に係止した状態で前記溝の長手方向が前記閉に向き、前記突起が前記長孔に位置している状態で前記溝の長手方向が前記開に向いている請求項５記載の封印装置。
【請求項７】
前記軸部は、前記突起が前記第２の部材の前記挿通孔を通過した状態で、前記挿通孔の前記第１の部材側の縁部に、前記ばねに抗して抜け止め係止する抜け止め片を有する請求項１記載の封印装置。    
【発明の詳細な説明】
【技術分野】
【０００１】
この発明は、積算電力計等の計器を収容した計器箱等に適用される封印装置に関するものである。
【背景技術】
【０００２】
封印装置は、例えば電力計器を取付けるベースをカバーで閉じた状態で、カバーを開封不能とし、不正に開放されることを防止するものである。
【０００３】
例えば、家屋の壁面に積算電力計等の電気計器を設置する場合、壁面にベースを取付け、そこに積算電力計を取付け、ベースにカバーを被せるように合わせて、封印ねじと封印キャップを用いて封印する。この場合、マイナスドライバーを封印ねじの頭部の溝にあて回転させてねじ込み、カバーとベースを締結する。そして封印ねじの頭部に封印キャップを回転自在に装着し、封印キャップを破断しない限り頭部の回転を不能にする（例えば特許文献１参照）。
【特許文献１】特開２００５−１５６８５７公報
【発明の開示】
【発明が解決しようとする課題】
【０００４】
しかし、この封印装置は封印ねじを用いるため、封印作業時にドライバーで何回も回転して締めつける作業が必要となり面倒である。しかも封印ねじを回転させるときドライバーが外れやすく、周辺をドライバーで傷つけるおそれがあり、作業に手間を要するという課題があった。
【０００５】
したがって、この発明の目的は、きわめて簡単に封印作業を行うことができる封印装置を提供することである。
【課題を解決するための手段】
【０００６】
この発明の封印装置は、表面に長孔を形成し前記長孔の裏面側の周縁を引っ掛け部とした第１の部材と、    
この第１の部材に被さって前記長孔に整合する挿通孔を底部に形成したばね収容凹部を有する第２の部材と、
先端部が前記ばね収容凹部の前記挿通孔および前記長孔に回動自在に挿通された軸部を有し、前記軸部の前記先端部の側面に突設されて前記軸部の回動により前記引っ掛け部に引っ掛け可能な突起を有し、前記軸部の後端部に設けられたばね受け部を有し、前記ばね収容凹部内に収納されて一端が前記ばね収容凹部の前記底部に係止し他端が前記ばね受け部に係止して前記突起を前記引っ掛け部に押圧するばねを有する封印具と、
前記封印具の回動を阻止する手段とを備えたものである。
【０００７】
上記構成において、前記引っ掛け部は、前記軸部の回転により前記突起が前記ばねに抗して乗り上げる傾斜部を有し前記軸部の所定の回転角で前記傾斜部から落ち込む逆回転防止用の落ち込み部を有する。
【０００８】
上記構成において、前記傾斜部と前記落ち込み部との間に前記突起が乗り越えるクリック用突部を有する。  
【０００９】
上記構成において、前記ばね収容凹部の内底面に配置されて大きさが前記ばね収容凹部の内底面にほぼ等しく中央に前記軸部を挿通する穴のある座板を有し、
前記軸部は、前記穴の内径にほぼ等しく前記突起が前記落ち込み部に係止している状態で前記穴に嵌合する第１の嵌合部と、前記第１の嵌合部よりも小径であって前記突起が前記長孔に位置している状態で前記穴に嵌合する第２の嵌合部とを有し、前記第１の嵌合部と前記第２の嵌合部との間が傾斜面で連続している。
【００１０】
上記構成において、前記ばねは前記軸部に挿通するコイルばねであり、外径が前記ばね収容凹部の内径にほぼ等しく、両端の内径が前記軸部の前記第１の嵌合部の外径にほぼ等しい。
【００１１】
上記構成において、前記軸部は後端部にドライバを係合できる溝を有し、
前記第２の部材は表面の軸部の周辺に開と閉の表示部を有し、
前記突起が前記落ち込み部に係止した状態で前記溝の長手方向が前記閉に向き、前記突起が前記長孔に位置している状態で前記溝の長手方向が前記開に向いている。
【００１２】
上記構成において、前記軸部は、前記突起が前記第２の部材の前記挿通孔を通過した状態で、前記挿通孔の前記第１の部材側の縁部に、前記ばねに抗して抜け止め係止する抜け止め片を有する。    
【発明の効果】
【００１３】
この発明の封印装置によれば、軸部をばねに抗して押し込み、先端部の突起が第２の部材のばね収容凹部の挿通孔および第１の部材の長孔に挿通した状態で、若干回動すると突起が引っ掛け部に引っ掛かり、第２の部材が第１の部材に固定される。そこで軸部に封印キャップなど軸部の回動を阻止する手段を施すと封印が完了する。このため、きわめて簡単に封印作業を行うことができる。
【００１４】
引っ掛け部として、突起が前記ばねに抗して乗り上げる傾斜部と、傾斜部から落ち込む逆回転防止用の落ち込み部とを設けることにより、軸部の回動が不十分なときは突起が傾斜部に位置し、ばねの復元力で元の位置まで戻されるので第２の部材がまだ固定されていないことが明瞭にでき、一方突起が落ち込み部に落ち込むことにより逆回転が規制されるため第２の部材が第１の部材に確実に固定できる。
【００１５】
傾斜部と落ち込み部との間に突起が乗り越えるクリック用突部を設けると、クリック用突部を乗り越えた勢いで突起が落ち込み部に落ち込むことができるとともに、クリック用突起によりクリック感が得られるので軸部の回動範囲が分かりやすい。  
【００１６】
突起が落ち込み部に係止している状態で座板の穴に嵌合する軸部の第１の嵌合部の外径が、穴の内径にほぼ等しく、しかも前記突起が前記長孔に位置している状態で前記穴に嵌合する第２の嵌合部の径よりも大きいため、軸部をばねに抗して押し込むときは軸部が傾きながら長孔に挿通することができるので、移動容易であるとともに、突起が落ち込み部に係止している状態では軸部がぐらつかないので第２の部材の確実な固定が可能となる。また第１の嵌合部と第２の嵌合部との間が傾斜面で連続しているため、第１の嵌合部を座板の穴およびばね収容凹部の挿通孔に挿入する作業がスムースに行える。
【００１７】
ばねが軸部に挿通するコイルばねであり、外径がばね収容凹部の内径にほぼ等しく、両端の内径が軸部の外径にほぼ等しいため、軸部を常にばね収容凹部の中心に支持させることができ、軸部の回動操作が容易になる。
【００１８】
軸部の後端にはドライバを係合できる溝を有し、第２の部材の表面の軸部の周辺に開と閉の表示部を有し、突起が前記落ち込み部に係止した状態で溝の長手方向が閉に向き、突起が長孔に位置している状態で溝の長手方向が開に向いているため、固定状態か非固定状態かが容易にわかる。
【００１９】
軸部は突起が第２の部材の挿通孔を通過した状態で第２の部材の挿通孔の第１の部材側の縁部に抜け止め係止する抜け止め片を有するため、軸部とばねと抜け止め片を第２の部材に保持することができる。    
【発明を実施するための最良の形態】
【００２０】
この発明の一実施の形態を図１から図１０により説明する。すなわち、図１は計器箱の計器を取付ける第１の部材としてのベース１の封印部１ａと、ベース１に被さる第２の部材としてのカバー２の封印部２ａと、カバー２をベース１に封印する封印具３とを示し、これらで封印装置を構成している。ベース１の封印部１ａには長孔４を形成し、封印部１ａの裏面側の長孔４の縁部に引っ掛け部３０を形成している。ベース１の封印部１ａに重なるカバー２の封印部２ａにはばね収容凹部５を形成し、その底部に封印具３の挿通孔６を形成している。封印具３は、カバー２のばね収容凹部５の挿通孔６を通して長孔４に挿通される軸部７と、軸部７の先端に径方向に貫通する横孔９に通されて軸部７の先端部７ａの側面に突起を形成するための直交バー８と、ばね収容凹部５に収容されて軸部７を長孔４への挿入方向と反対向きに付勢するばね１０とを有する。
【００２１】
したがって、ベース１の封印部１ａにカバー２の封印部２ａを重ね、ばね収容凹部５に封印具３のばね１０を収容するとともに、軸部７の直交バー８を挿通孔６に挿通し、さらにばね１０に抗して長孔４に挿通し、軸部７を回転して直交バー８を長孔４の裏側縁部の引っ掛け部３０に引っ掛けるとベース１にカバー２が固定され、封印可能となる。
【００２２】
図２はベース１の封印部１ａの表面側を示している。封印部１ａはベース１上に筒状に突出して形成され、その上部中央に長孔４を形成し、長孔４の中央には軸部７が通る広幅部が形成され、これにより軸部７と直交バー８が長孔４を挿通することができる。また長孔４の両側に直交バー８を長孔４に案内するように傾斜したガイド１２が形成されている。これにより、封印部１ａ上に封印部２ａを重ねて、カバー２のばね収容凹部５から封印具３を挿入するとき直交バー８を長孔４にスムースに挿入することができる。
【００２３】
図３はベース１の封印部１ａの裏面側を示している。封印部１ａの裏面側には直交バー８の引っ掛け部３０が形成されている。引っ掛け部３０は、軸部７の回転により直交バー８がばね１０に抗して乗り上げる傾斜部１３と、軸部７の所定の回転角例えば１２０度で傾斜部１３から落ち込む逆回転防止用の落ち込み部１４と、傾斜部１３と落ち込み部１４との間の平面部１５と、平面部１５に形成され直交バー８が乗り越えるクリック用突部１６とで構成されている。長孔４から傾斜部１３を通して落込み部１４に至る回動方向はカバー２の上面からみて右回りであり、角度としては上記角度に限らず、軸部７を回転操作するためのドライバーなどを持ち替えることなく回転できる、いわゆる一ひねりの回転角の範囲が望ましい。落込み部１４の先には仕切り３１が設けられ、直交バー８は落込み部１４からさらに回動することができない。
【００２４】
図４は引っ掛け部３０の展開図を示している。軸部７をばね１０に抗して長孔４に挿通し回転することにより、直交バー８を長孔４から傾斜部１３および平面部１５に沿って移動し、突部１６を乗り越えた後、落ち込み部１４に落ち込み、それより先は仕切り３１により回動が阻止される。この間、直交バー８が傾斜部１３に沿って移動することにより、ばね１０を圧縮してカバー２をベース１に押しつけカバー２がベース１に合わさる力が強まる。同時に直交バー８が突部１６を乗り越える際にクリック感触が得られる。落ち込み部１４では直交バー８の逆回転が防止され、これによりカバー２がベース１に固定され、かつ封印可能となる。一方、軸部７をばね１０に抗して押し込み直交バー８を逆回転させて、落込み部１４から平面部１５および傾斜部１３に沿って移動させると軸部７を長孔４から抜くことができ、カバー２の封印を解除することができる。
【００２５】
図５は封印具３の側面図を示している。軸部７の後端には頭部１１を形成し、先端部７ａと頭部１１の間には両部よりも小径の第１の嵌合部２０と第２の嵌合部２１を有し、第２の嵌合部２１は先端部７ａ側に位置し、第１の嵌合部２０よりもさらに小径となっている。頭部１１は周溝１８を有し、端面にドライバー用溝１９が形成されている。第１の嵌合部２０は軸部７の直交バー８が落ち込み部１４に係止している状態でばね収容凹部５の挿通孔６に嵌合しており、第２の嵌合部２１は直交バー８が長孔４に挿入された位置で挿通孔６に遊嵌する。そして第１の嵌合部２０と第２の嵌合部２１との間は傾斜面２３で連続し、第２の嵌合部２１から第１の嵌合部２０の挿通孔６への挿入をスムースにしている。また第１の嵌合部２０には頭部１１に当接する位置に座金を用いた覆い部２４を挿通しており、この覆い部２４はばね収容凹部５を覆うとともにばね１０の上端部を受けるばね受け部を兼ねている。またばね１０の下端側を受ける座金を用いた座板２２をばね収容凹部５の内底面に支持させるとともに軸部７の第２の嵌合部２１に貫通している。座板２２はばね収容凹部５の内底面にほぼ等しい大きさすなわち、内底面の内径と座板２２の外径がほぼ等しく、その穴２２ａの内径は第１の嵌合部２０の外径にほぼ等しい。したがって、座板２２が第２の嵌合部２１に遊嵌しているときは軸部７は座板２２に対してぐらつくことができるが、軸部７を押し込んで第１の嵌合部２０を嵌合させたときは座板２２に支持されるためぐらつかなくなる。これにより、直交バー８を引っ掛け部３０に引っ掛けるまでは軸部７が操作しやすいが、直交バー８を引っ掛け部３０に引っ掛けたときは座板２２により軸部７も固定されるので、カバー２をベース１に確実に固定することができる。また第２の嵌合部２１には先端部７ａに当接するＥリングを用いた抜け止め片２５が設けられている。この抜け止め片２５は、軸部７の先端部７ａをカバー２のばね収容凹部５の挿通孔６に挿通した状態で、カバー２の裏面側に露出した第２の嵌合部２１に取付けられ、ばね１０の作用により軸部７の先端部７ａに支持されてカバー２の裏面側に係止しており、これにより封印具３をカバー２に保持している。
【００２６】
図６はばね１０を示している。ばね１０は軸部７に挿通するコイルばねであり、上記したように上端が覆い部２４に係止し、下端が座板２２に係止し、座板２２がばね収容凹部５の底面６に支持されて、覆い部２４で軸部７の頭部１１をばね収容凹部５から抜き出す方向に押上げている。ばね１０の外径はばね収容凹部５の内径にほぼ等しいが、両端１０ａはその内径が軸部７の第１の嵌合部２０の外径にほぼ等しくなるように形成されている。したがって、ばね１０に挿通された軸部７はばね１０の両端１０ａによってばね１０の中心軸にほぼ位置決めされ、かつばね１０の外周がばね収容凹部５に収容されることによって軸部７がばね収容凹部５の中心軸線上に保持され、封印具３をカバー２に保持した状態ではばね１０の両端１０ａともほぼ第１の嵌合部２０に嵌合している。
【００２７】
図７はカバー２をベース１に被せ封印具３が装着されていない状態であり、図８はカバー２のばね収容凹部５に封印具３を挿入した封印前の状態である。これらの図において、カバー２の封印部２ａの表面に「開」と「閉」の表示部３３を表している。封印具３を挿入し直交バー８を長孔４に通したままの状態で溝１９の長手方向が「開」の方向に向いている。
【００２８】
図９は封印具３をばね１０に抗して押し込みかつ回動して直交バー８を落ち込み部１４に係止し、さらに封印キャップ２６を頭部１１に被せた状態である。このとき、溝１９は表示部３３の「閉」の位置に向いている。このように溝１９の方向によって封印が開か閉かの状態が一目でわかる。また封印キャップ２６は頭部１１に被さる冠状であって開口部の縁部より内方に複数の係止ばね３５を突設し、各係止ばね３５の先端で頭部１１に対して回転自在に周溝１８に係止している。係止ばね３５は封印キャップ２６を頭部１１に押し込む際には一方向に弾性変形することができるが、係止ばね３５の他方向への弾性変形を規制する規制部３６を有するため、頭部１１から抜く際には、封印キャップ２６を破断しない限り頭部１１から外すことができない。
【００２９】
図１０は封印装置を適用した計器箱の外観を示している。カバー２の上部引っ掛け部２ｂをベース１の上部受け部１ｂに引っ掛け、下部の両側の封印部２ａにカバー２が開かないように、締付けと封印を兼ねた一対の上記封印具３によって固定されるようにしている。この際、封印具３は略半回転で容易に封印作業ができる。２ｃは検針窓である。
【００３０】
なお、この発明において、直交バー８は軸部７の径方向の両方向に突出しているが、片方のみに突出してもよい。またばね１０はコイルばねに限らない。さらに軸部７を封印状態に回り止めする手段は上記の封印キャップ２６に限らず、他の手段を用いることができる。例えば頭部１１に横孔を形成し、横孔に封印用はり金等を通しカバー２に掛けて軸部７を回り止めしてもよい。
【図面の簡単な説明】
【００３１】
【図１】この発明の一実施の形態の封印具で封印する前の状態の断面図である。
【図２】ベースの封印部の表面と封印具とを示す斜視図である。
【図３】ベースの封印部の裏面側を示す斜視図である。
【図４】ベースの封印部の裏面側の展開図である。
【図５】封印具の断面図である。
【図６】ばねの側面図である。
【図７】（ａ）はカバーの封印部の封印具が装着されていない状態の平面図、（ｂ）はそのＡ−Ａ線断面図、（ｃ）はベースの封印部の底面図である。
【図８】（ａ）はカバーの封印部の封印具が装着されているがカバーが固定されていない状態の平面図、（ｂ）はそのＢ−Ｂ線断面図、（ｃ）はベースの封印部の底面図である。
【図９】（ａ）はカバーの封印部の封印具が装着されてカバーが固定され封印キャップで封印されている状態の平面図、（ｂ）はそのＣ−Ｃ線断面図、（ｃ）はベースの封印部の底面図である。
【図１０】（ａ）は計器箱の正面図、（ｂ）はその側面図である。
【符号の説明】
【００３２】
１    ベース
２    カバー
３    封印具
４    長孔
５    ばね収容凹部
６    挿通孔
７    軸部
８    直交バー  
１０    ばね  
１１    頭部
１３    傾斜部
１４    落ち込み部
１５    平面部
１６    突部  
２０    第１の嵌合部
２１    第２の嵌合部
２３    傾斜面
２４    覆い部
２６    封印キャップ
３０    引っ掛け部
【図１】
2007033316.tif 000003
【図２】
2007033316.tif 000004
【図３】
2007033316.tif 000005
【図４】
2007033316.tif 000006
【図５】
2007033316.tif 000007
【図６】
2007033316.tif 000008
【図７】
2007033316.tif 000009
【図８】
2007033316.tif 000010
【図９】
2007033316.tif 000011
【図１０】
2007033316.tif 000012